(57)【要約】【課題】  手帳や大学ノート等は、少しの頁数しか使用しない場合に、無駄な頁が発生することがあった。また、使用する最少限の頁だけの持ち運びができず、荷物が重くなることがあった。本願発明の目的は、目的に応じた最小限の頁にて構成される冊子であっても、綴じ具を使用せずに複数の冊子を１冊にまとめて使用することを可能にすることである。【解決手段】  本願発明に係る冊子は、綴じ具を使用せずに複数の冊子を１冊にまとめることのできる冊子であって、表表紙及び裏表紙のうち一方の表紙の外側に、他の冊子の表紙を差し込み繋ぎ合わせることのできる紐状又は帯状のバンドを具備しており、該バンドを使用して複数の冊子の表紙を繋ぎ合わせることにより、複数の冊子を一冊の冊子として使用することを特徴とする。【選択図】図１
2018052096.tif 000002
【特許請求の範囲】
【請求項１】
冊子であって、他の冊子の表紙を差し込み繋ぎ合わせることができる紐状又は帯状のバンドを、表紙の外側に具備していることを特徴とする冊子。
【請求項２】
冊子であって、前記バンドを一本以上具備しており、各バンドの端部のうち一端が表紙の天側の辺に取り付けられ、他端が表紙の地側の辺に取り付けられたことを特徴とする請求項１に記載の冊子。
【請求項３】
冊子であって、前記バンドを表表紙及び裏表紙のうち一方の表紙に具備しており、他方の表紙の外側には、該表紙を前記バンドを具備した他の冊子の表紙のバンドに差し込み繋ぎ合わせた際に、該表紙が抜落ちることを防止するための抜落ち防止バンドまたは抜落ち防止ポケットを具備していることを特徴とする請求項１及び請求項２に記載の冊子。
【請求項４】
冊子であって、前記抜落ち防止バンドを一本以上具備しており、各抜落ち防止バンドの端部のうち一端が表紙の小口側の辺に取り付けられ、他端が表紙の天側及または地側の辺に取り付けられたことを特徴とする請求項３に記載の冊子。
【請求項５】
冊子であって、前記抜落ち防止ポケットを具備しており、抜落ち防止ポケットの端部が、表紙の小口側、天側及び地側の三辺に取り付けられ、背表紙の方向を開口とすることを特徴とする請求項３に記載の冊子。
【請求項６】
冊子であって、前記抜落ち防止ポケットを一つ以上具備しており、各抜落ち防止ポケットの端部が小口側と天側の二辺または小口側と地側の二辺に取り付けられ、背表紙の方向を開口とすることを特徴とする請求項３に記載の冊子。
【請求項７】
冊子であって、前記バンドまたは前記抜落ち防止バンドが繋ぎ合わせた表紙からずれることを防止するためのバンドずれ防止切込みを表紙の辺に具備したことを特徴とする請求項１乃至６いずれかに記載の冊子。
【請求項８】
前記バンドずれ防止切込みが、前記バンドまたは前記抜落ち防止バンドを具備する一方の表紙においては、各バンドの取り付け部における表紙の辺とバンドの当接部に設けられ、もう一方の表紙においては、他方の表紙に設けられたバンドずれ防止切込みの位置に相対する位置に設けられたことを特徴とする請求項７に記載の冊子。
【請求項９】
請求項１乃至８いずれかに記載の第１の冊子と第２の冊子であって、第１の冊子の表紙に設けられたバンドに、第２の冊子の表紙を差し込み繋ぎ合わせることにより、複数の冊子を一冊の冊子として使用する冊子の使用方法。
【請求項１０】
請求項３乃至８いずれかに記載の第１の冊子と第２の冊子であって、第１の冊子の表紙に設けられたバンドに第２の冊子の表紙を差し込み繋ぎ合わせ、第２の冊子の表紙に設けられた抜落ち防止バンドまたは抜落ち防止ポケットに第１の冊子の表紙を差し込み、第２の冊子の表紙が第１の冊子のバンドから抜落ちることを防止することにより、複数の冊子を一冊の冊子として使用する冊子の使用方法。
【発明の詳細な説明】
【技術分野】
【０００１】
本発明は、大学ノート、手帳、日記帳若しくは野帳等のノート、または、本、書籍、雑誌若しくは図書等の書物に関するものであり、以下の説明においては、これらのノートまたは書物を総称して冊子と呼ぶものとする。
【背景技術】
【０００２】
一般的な冊子の構成を図３６、３７に示す。図においては、１は表表紙で、２は裏表紙で、３は本文用紙で、４は背表紙である。表表紙１、裏表紙２及び本文用紙３は、背表紙４に接着されている。
【０００３】
一般的なノートには、必要な本文用紙にて構成され製本された、手帳や大学ノート等があり、これに対して、製本されたノートの他に、必要な本文用紙を綴じ具に綴じて使用するシステム手帳やルーズリーフがある。一般的な書物には、本、書籍、雑誌または図書等があり、それぞれの書物は、必要な本文用紙にて構成され製本されている。
【０００４】
特許文献１では、複数の冊子の表紙を覆うことができ、順次カバーで覆われた冊子を見開き、閲覧することができる表紙のカバーが開示されている。
【先行技術文献】
【特許文献】
【０００５】
【特許文献１】実用新案登録第３１９６４２０号公報
【発明の概要】
【発明が解決しようとする課題】
【０００６】
従来、手帳や大学ノート等は、使用目的に応じた本文用紙にて構成されるものであった。例えば手帳は、少なくとも１年間分の予定を記入する本文用紙にて構成されるものが多い。また大学ノートは、ノートが分厚くならない６０頁前後の本文用紙にて構成されるものが多い。そのため、使用者が少しの頁数しか使用しない場合、無駄な本文用紙が発生することがあった。ノートの持ち運びにおいては、使用する最少限の本文用紙だけの持ち運びができず、製本された１冊単位で持ち運ぶ必要があり、荷物が重くなることがあった。またこれに対して、必要な本文用紙を綴じ具に綴じて使用するシステム手帳やルーズリーフにおいては、目的に応じた最小限必要な本文用紙のみを綴じ具に綴じて使用することができるが、綴じ具本体が嵩張ることがあった。
【０００７】
従来、書籍や図書等において、一冊の書物としては頁数が多いために製本が困難な場合には、数冊に分けて製本する場合があった。そのため、複数冊に分けられた同種類の書物を保管する場合には、バラバラにならないよう、一つの本棚にまとめて保管するなど、保管方法を工夫しなければならないことが多かった。また、比較的少ない頁数にて構成されるリーフレットや定期刊行物等においては、同種類のリーフレット等をまとめて保管する場合に、バラバラにならないように綴じ具にて綴じるなど、工夫をしなければならないことがあった。
【０００８】
そのため本願発明の目的は、目的に応じた最小限の頁数の本文用紙にて構成される冊子であって、綴じ具を使用せずに複数の冊子を１冊にまとめて使用することを可能にすることである。
【課題を解決するための手段】
【０００９】
前記の目的を達成するため、本願発明に係る冊子は、綴じ具を使用せずに複数の冊子を１冊にまとめることができる冊子であって、他の冊子の表紙を差し込み繋ぎ合わせることができる紐状又は帯状のバンドを、表紙の外側に具備していることを特徴とする。
【００１０】
本願発明に係る冊子は、前記バンドを一本以上具備しており、各バンドにおいて、端部のうち一端が表紙の天側の辺に取り付けられ、他端が表紙の地側の辺に取り付けられたことを特徴とする。
【００１１】
本願発明に係る冊子は、前記バンドを表表紙及び裏表紙のうち一方の表紙に具備しており、他方の表紙の外側には、該表紙を前記バンドを具備した他の冊子の表紙のバンドに差し込み繋ぎ合わせた際に、該表紙が抜落ちることを防止するための抜落ち防止バンドまたは抜落ち防止ポケットを具備していることを特徴とする。
【００１２】
本願発明に係る冊子は、前記抜落ち防止バンドを一本以上具備しており、各抜落ち防止バンドにおいて、端部のうち一端が表紙の小口側の辺に取り付けられ、他端が表紙の天側及または地側の辺に取り付けられたことを特徴とする。
【００１３】
本願発明に係る冊子は、前記抜落ち防止ポケットを具備しており、抜落ち防止ポケットの端部が、表紙の小口側、天側及び地側の三辺に取り付けられ、背表紙の方向を開口とすることを特徴とする。
【００１４】
本願発明に係る冊子は、前記抜落ち防止ポケットを一つ以上具備しており、各抜落ち防止ポケットにおいて、端部が小口側と天側の二辺または小口側と地側の二辺に取り付けられ、背表紙の方向を開口とすることを特徴とする。
【００１５】
本願発明に係る冊子は、前記バンドまたは前記抜落ち防止バンドが繋ぎ合わせた表紙からずれることを防止するためのバンドずれ防止切込みを表紙の辺に具備したことを特徴とする。
【００１６】
本願発明に係る冊子は、前記バンドずれ防止切込みが、前記バンドまたは前記抜落ち防止バンドを具備する一方の表紙においては、各バンドの取り付け部における表紙の辺とバンドの当接部に設けられ、もう一方の表紙においては、他方の表紙に設けられたバンドずれ防止切込みの位置に相対する位置に設けられたことを特徴とする。
【００１７】
本願発明に係る冊子の使用方法は、前記バンドを具備した第１の冊子と第２の冊子を使用し、第１の冊子の表紙に設けられたバンドに、第２の冊子の表紙を差し込み繋ぎ合わせることにより、複数の冊子を一冊の冊子として使用することを特徴とする。
【００１８】
本願発明に係る冊子の使用方法は、前記バンド及び前記抜落ち防止バンド、または、前記バンド及び前記抜落ち防止ポケットを具備した第１の冊子と第２の冊子を使用し、第１の冊子の表紙に設けられたバンドに第２の冊子の表紙を差し込み繋ぎ合わせ、第２の冊子の表紙に設けられた抜落ち防止バンドまたは抜落ち防止ポケットに第１の冊子の表紙を差し込み、第２の冊子の表紙が第１の冊子のバンドから抜落ちることを防止することにより、複数の冊子を一冊の冊子として使用することを特徴とする。
【発明の効果】
【００１９】
本願発明によれば、綴じ具を使用せずに複数の冊子を１冊にまとめることができる。そのため、使用目的に応じた最小限の頁数の本文用紙にて構成され、本願発明によるバンドを具備した冊子を提供すれば、使用者は目的に応じた冊子を使用し、使用する冊子が複数ある場合には、綴じ具を使用せずに１冊にまとめることができる。
【図面の簡単な説明】
【００２０】
【図１】本願発明に係る冊子の第１の実施形態を示す斜視図。
【図２】第１の実施形態の冊子の裏表紙側から見た正面図。
【図３】図２のＡ−Ａ’断面図。
【図４】図２のＢ−Ｂ’断面図。
【図５】第１の実施形態の冊子のバンドに、別の冊子の表表紙を差し込む手順を示す図。
【図６】第１の実施形態の冊子を使用して、２冊の冊子を繋ぎ合わせた状態を示す斜視図。
【図７】第１の実施形態の冊子を使用して、３冊の冊子を繋ぎ合わせた状態を示す斜視図。
【図８】第１の実施形態の冊子を使用して、３冊の冊子を繋ぎ合わせた冊子に、ブックカバーを取り付けた状態を示す斜視図。
【図９】本願発明に係る冊子の第２の実施形態を示す斜視図。
【図１０】本願発明に係る冊子の第３の実施形態を示す斜視図。
【図１１】第３の実施形態の冊子の裏表紙側から見た正面図。
【図１２】第３の実施形態の冊子の表表紙側から見た正面図。
【図１３】第３の実施形態の冊子を使用して、２冊の冊子を繋ぎ合わせた状態を示す斜視図。
【図１４】本願発明に係る冊子の第４の実施形態を示す斜視図。
【図１５】本願発明に係る冊子の第５の実施形態を示す斜視図。
【図１６】第５の実施形態の裏表紙側から見た正面図。
【図１７】図１６のＣ−Ｃ’断面図。
【図１８】図１６のＤ−Ｄ’断面図。
【図１９】第５の実施形態の冊子を使用して、２冊の冊子を繋ぎ合わせた状態を示す斜視図。
【図２０】本願発明に係る冊子の第６の実施形態を示す斜視図。
【図２１】第６の実施形態の冊子の表表紙側を見た斜視図。
【図２２】第６の実施形態の冊子の裏表紙側から見た正面図。
【図２３】第６の実施形態の冊子の表表紙側から見た正面図。
【図２４】図２２のＥ−Ｅ’断面図。
【図２５】図２２のＦ−Ｆ’断面図。
【図２６】図２３のＧ−Ｇ’断面図。
【図２７】第６の実施形態の冊子の表表紙のバンドに、別の冊子の裏表紙を差し込む手順を示す図
【図２８】図２７のＨ−Ｈ’断面図。
【図２９】図２７の手順の後、裏表紙のポケットに、表表紙を差し込む手順を示す図。
【図３０】第６の実施形態の冊子を使用して、２冊の冊子を繋ぎ合わせた状態を示す斜視図。
【図３１】本願発明に係る冊子の第７の実施形態を示す斜視図。
【図３２】第７の実施形態の冊子を使用して、２冊の冊子を繋ぎ合わせた状態を示す斜視図。
【図３３】本願発明に係る冊子の第８の実施形態を示す斜視図。
【図３４】第８の実施形態の冊子を使用して、２冊の冊子を繋ぎ合わせた状態を示す斜視図。
【図３５】本願発明に係る冊子の第９の実施形態を示す斜視図。
【図３６】一般的な冊子の表表紙側を見た斜視図。
【図３７】一般的な冊子の裏表紙側を見た斜視図。
【発明を実施するための形態】
【００２１】
発明を実施するための形態を図面を参照にして説明する。冊子の各部位の名称については、図３６、図３７に示す一般的な冊子の各部位の名称を基本とする。図においては、１は表表紙で、２は裏表紙で、３は本文用紙で、４は背表紙で、５は小口、６は天、７は地である。表表紙１、裏表紙２及び本文用紙３は、背表紙４に接着されている。天は冊子の上の部分であり、地は冊子の下の部分であり、小口は冊子の開く側である。
【００２２】
図１、図２、図３、図４は、本願発明に係る冊子の第１の実施形態である。図においては、１１は表表紙で、１２は裏表紙で、１３は本文用紙で、それぞれが１４の背表紙に接着されている。１５は裏表紙１２の外側に設けた紐状のバンドであり、１６はバンド取り付け部である。バンド取り付け部１６は裏表紙１２の天側及び地側の辺の背表紙１４付近に設けている。バンド１５は、別の冊子の表紙を差し込み２冊の冊子を繋ぎ合わせるために設けるものであり、別の冊子の表紙を差し込む手順を容易にするために、伸縮性のある素材であってもよい。また、バンド１５は、繋ぎ合わせた冊子の表紙が抜け落ちにくくするために、バンドと表紙の間の摩擦係数が大きくなる素材であってもよい。図においてバンド１５は、紐状であるが、より幅のある帯状のものにすれば、繋ぎ合わせた冊子の表紙を保持する力を大きくできる。図３において、寸法Ｘ１は背表紙１４からバンド１５及びバンド取り付け部１６までの距離で、寸法Ｙ１は裏表紙１２の幅である。Ｘ１はＹ１以下であるが、繋ぎ合わせた冊子の表紙が抜け落ちにくくするためには、Ｘ１は望ましくはＹ１の５０％以下であればよく、更に望ましくはＹ１の１０％以下であればよい。
【００２３】
図５は、第１の実施形態の冊子のバンドに、同様の大きさの別の冊子の表紙を差し込む手順を示す図である。図においては、１１１は別の冊子の表表紙である。図５に示す手順にて、別の冊子の表表紙１１１を、バンド１５に差し込めば、図６のように２冊の冊子を繋ぎ合わせることができる。図においては、１１２は別の冊子の裏表紙で、１１３は別の冊子の本文用紙で、１１５は別の冊子のバンドである。
【００２４】
図７は、３冊の第１の実施形態の冊子を繋ぎ合わせた状態を示す斜視図である。第１の実施形態の冊子を複数冊用いた場合、図５の手順を繰り返すことにより、複数冊の冊子を繋ぎ合わせることも可能である。図８は、繋ぎ合わせた冊子に、一般的なブックカバー１７を取り付けた状態を示す斜視図である。繋ぎ合わせた冊子にブックカバーを使用すれば、繋ぎ合わせた冊子がバラバラになることを防止し、１冊の冊子として使用しやすい。
【００２５】
図９は、本願発明に係る冊子の第２の実施形態である。第１の実施形態の冊子において、裏表紙１２にバンド１５を複数具備している。バンド１５を複数使用し、第１の実施形態の冊子と同様の手順にて２冊の冊子の表紙同士を繋ぎ合わせることにより、バンド１５を一つ使用する場合に比べ、繋ぎ合わせた冊子の表紙を保持する力を強くすることができる
【００２６】
図１０、図１１、図１２は本願発明に係る冊子の第３の実施形態である。図においては、２１は表表紙で、２２は裏表紙で、２３は本文用紙で、それぞれが２４の背表紙に接着されている。２５は裏表紙２２の外側に設けた紐状のバンドで、２６はバンド取り付け部で、２７はバンドずれ防止切込みである。バンドずれ防止切込み２７は、裏表紙２２においては、バンド取り付け部２６の表紙の辺とバンドの当接部に設けており、表表紙２１においては、裏表紙２２に設けたバンドずれ防止切込み２７に相対する位置に設けている。
【００２７】
図１３は、第３の実施形態の冊子を使用して、２冊の冊子を繋ぎ合わせた状態を示す斜視図である。図においては、２２１は別の冊子の表表紙で、２２２は別の冊子の裏表紙で、２２３は別の冊子の本文用紙で、２２７は別の冊子のバンドずれ防止切込みである。第２の実施形態の冊子を複数冊繋ぎ合わせる場合、図１２に示すように、裏表紙２２のバンド２５が、別の冊子の表表紙２２１のバンドずれ防止切込み２２７に引っかかり、繋ぎ合わせた表表紙２２１が抜け落ちにくい状態となる。これにより、複数冊の冊子を繋ぎ合わせて使用することができる。
【００２８】
図１４は本願発明に係る冊子の第４の実施形態である。図においては、３１は表表紙で、３２は裏表紙で、３３は本文用紙で、それぞれが３４の背表紙に接着されている。３５は裏表紙３２の外側に設けた紐状のバンドで、３６はバンド取り付け部で、３７はバンドずれ防止切込みである。バンドずれ防止切込み３７は、裏表紙３２においては、バンド取り付け部３６の表紙の辺とバンドの当接部に設けており、表表紙３１においては、裏表紙３２に設けたバンドずれ防止切込み３７に相対する位置に設けている。第３の実施形態の冊子と同様の手順にて、複数冊の冊子を繋ぎ合わせて使用することができる。
【００２９】
第３の実施形態及び第４の実施形態におけるバンドずれ防止切込み２７及びバンドずれ防止切込み３７は、複数冊の冊子を繋ぎ合わせた際に、バンドが切込みに引っかかることにより、繋ぎ合わせた冊子の表紙が抜け落ちにくくすることが目的であるため、発明の実施においては、同様の目的で設置する切込みであれば、位置または形状が実施例と異なっていても差し支えない。
【００３０】
図１５、図１６、図１７、図１８は、本願発明に係る冊子の第５の実施形態である。図においては、４１は表表紙で、４２は裏表紙で、４３は本文用紙で、それぞれが４４の背表紙に接着されている。４５は裏表紙４２の外側に設けた帯状のバンドで、４６はバンド取り付け部である。バンド取り付け部４６は裏表紙４２の天側及び地側の辺に設けている。バンド４５は、別の冊子の表紙を差し込み２冊の冊子を繋ぎ合わせるために設けるものであり、別の冊子の表紙を差し込む手順を容易にするために、伸縮性のある素材であってもよい。図１７において、寸法Ｘ４は背表紙４４からバンド４５及びバンド取り付け部４６までの距離で、寸法Ｙ４は裏表紙４２の幅で、寸法Ｚ４はバンド４５の幅であり、Ｚ４はＹ４以下である。Ｚ４が大きいほど、バンド４５の内側と繋ぎ合わせた冊子の表紙の間に働く摩擦力が大きくなり、繋ぎ合わせた冊子の表紙がバンド４５から抜け落ちにくくなる。繋ぎ合わせる手順を容易にするためには、Ｚ４はＹ４の５％以上５０％以下程度が良く、図ではＺ４をＹ４の３０％程度としている。また、繋ぎ合わせた冊子の表紙がバンド４５から抜け落ちにくくするためには、Ｘ４は望ましくはＹ４の５０％以下であればよく、更に望ましくはＹ４の１０％以下であればよい。
【００３１】
図１９は、第５の実施形態の冊子を使用して、２冊の冊子を繋ぎ合わせた状態を示す斜視図である。図においては、４４１は別の冊子の表表紙で、４４２は別の冊子の裏表紙で、４４３は別の冊子の本文用紙で、４４５は別の冊子のバンドである。第２の実施形態の冊子同様の手順にて、同様の大きさの別の冊子の表表紙４４１を、バンド４５に差し込めば、図１９のように２冊の冊子を繋ぎ合わせることができる。更に、第４の実施形態の冊子を複数冊用いた場合、同様の手順にて、複数冊の冊子を繋ぎ合わせることも可能である。
【００３２】
図２０、図２１、図２２、図２３、図２４、図２５、図２６は、本願発明に係る冊子の第６の実施形態である。図においては、５１は表表紙で、５２は裏表紙で、５３は本文用紙で、それぞれが５４の背表紙に接着されている。５８は裏表紙５２の外側に設けた抜落ち防止ポケットであり、５９は抜落ち防止ポケット５８の開口部である。抜落ち防止ポケット５８は、裏表紙５２の天側、地側及び小口側の辺に接着されており、抜落ち防止ポケット開口部５９は、背表紙５４側方向に向けて設けている。５５は表表紙５１の外側に設けた紐状のバンドであり、５６はバンド取り付け部である。バンド取り付け部５６は表表紙５１の天側及び地側の辺に設けている。図２４において、寸法Ｘ５は抜落ち防止ポケット５８の幅であり、寸法Ｙ５は裏表紙の幅である。図２９に示す手順を容易にするためには、Ｘ５はＹ５の５％以上５０％以下程度が良く、図ではＸ５をＹ５の３０％程度としている。抜落ち防止ポケット５８を設けることにより、バンド５５により繋ぎ合わせた冊子の表紙が背表紙５４の方向に抜け落ちることを防止する構造となっている。
【００３３】
図２７、図２８、図２９、図３０に示す手順にて、２冊の第６の実施形態の冊子を繋ぎ合わせることができる。図においては、５５１は別の冊子の表表紙で、５５２は別の冊子の裏表紙で、５５３は別の冊子の本文用紙で、５５８は別の冊子の抜落ち防止ポケットで、５５９は別の冊子の抜落ち防止ポケット開口部ある。まず、図２７、図２８に示す手順にて、別の冊子の裏表紙５５２を表表紙５１のバンド５５に差し込む。その次に、図２９に示す手順にて、表表紙５１を別の冊子の抜落ち防止ポケット開口部５５９に差し込むことにより、図３０に示すように、２冊の冊子を繋ぎ合わせることができる。抜落ち防止ポケット５５８は、バンド５５を使用して繋ぎ合わせた別の冊子の裏表紙５５２が抜け落ちることを防止することを目的に設けるものであり、発明の実施においては、同様の目的で設置するポケットであれば、位置または形状が実施例と異なっていても差し支えない。第６の実施形態の冊子を複数冊用いた場合、同様の手順にて、複数冊の冊子を繋ぎ合わせることも可能である。
【００３４】
図３１は、本願発明に係る冊子の第７の実施形態である。図においては、６１は表表紙で、６２は裏表紙で、６３は本文用紙で、それぞれが６４の背表紙に接着されている。６８は裏表紙６２の外側に設けた抜落ち防止ポケットであり、６９は抜落ち防止ポケット６８の開口部である。抜落ち防止ポケット６８はそれぞれ、裏表紙６２の天側と小口側の２辺及び地側と小口側の２辺に接着されており、抜落ち防止ポケット開口部６９は、背表紙６４側方向に向けて設けている。６５は表表紙６１の外側に設けた紐状のバンドであり、６６はバンド取り付け部である。バンド取り付け部６６は表表紙６１の天側及び地側の辺の背表紙６４付近に設けている。
【００３５】
図３２は、第７の実施形態の冊子を使用して、２冊の冊子を繋ぎ合わせた状態を示す斜視図である。図においては、６６１は別の冊子の表表紙で、６６２は別の冊子の裏表紙で、６６３は別の冊子の本文用紙で、６６５は別の冊子のバンドで、６６８は別の冊子の抜落ち防止ポケットで、６６９は別の冊子の抜落ち防止ポケット６６８の開口部である。第６の実施形態の冊子と同様の手順にて複数冊の冊子を繋ぎ合わせることができる。抜落ち防止ポケット６６８は、バンド６５を使用して繋ぎ合わせた別の冊子の裏表紙６６２が抜け落ちることを防止することを目的に設けるものであり、発明の実施においては、同様の目的で設置するポケットであれば、位置または形状が実施例と異なっていても差し支えない
【００３６】
図３３は、本願発明に係る冊子の第８の実施形態である。図においては、７１は表表紙で、７２は裏表紙で、７３は本文用紙で、それぞれが７４の背表紙に接着されている。７５は表表紙７１の外側に設けた紐状のバンドであり、７６はバンド取り付け部である。バンド取り付け部７６は表表紙７１の天側及び地側の辺に設けている。７７は裏表紙７２の外側に設けた紐状の抜落ち防止バンドであり、７８は抜落ち防止バンド取り付け部である。抜落ち防止バンド取り付け部７８は裏表紙７２の天側と小口側の２辺及び地側と小口側の２辺に設けている。
【００３７】
図３４は、第８の実施形態の冊子を使用して、２冊の冊子を繋ぎ合わせた状態を示す斜視図である。図においては、７７１は別の冊子の表表紙で、７７２は別の冊子の裏表紙で、７７３は別の冊子の本文用紙で、７７５は別の冊子のバンドで、７７７は別の冊子の抜落ち防止バンドである。第６の実施形態の冊子と同様の手順にて複数冊の冊子を繋ぎ合わせることができる。別の冊子の抜落ち防止バンド７７７は、バンド７５を使用して繋ぎ合わせた別の冊子の裏表紙７７２が抜け落ちることを防止することを目的に設けるものであり、発明の実施においては、同様の目的で設置するバンドであれば、位置または形状が実施例と異なっていても差し支えない。
【００３８】
図３５は、本願発明に係る冊子の第９の実施形態である。図においては、８１は表表紙で、８２は裏表紙で、８３は本文用紙で、それぞれが８４の背表紙に接着されている。８５は表表紙８１の外側に設けた紐状のバンドであり、８６はバンド取り付け部である。８７は裏表紙８２の外側に設けた紐状の抜落ち防止バンドであり、８８は抜落ち防止バンド取り付け部である。８９は表表紙８１と裏表紙８２の天側、地側及び小口側の辺に設けたバンドずれ防止切込みである。バンドずれ防止切込み８９は、バンド取り付け部８６及び抜落ち防止バンド取り付け部８８における表紙の辺とバンドの当接部に設けており、更に、各表紙において、一方の表紙に設けた該バンドずれ防止切込みの位置に相対する位置に設けている。第８の実施形態の冊子と同様の手順にて、複数冊の冊子を繋ぎ合わせて使用することができるが、第８の実施形態の冊子に比べて、バンド８６と抜落ち防止バンド８７がバンドずれ防止切込み８９に引っかかることにより、繋ぎ合わせた表紙同士が抜け落ちにくい構造となっている。
【産業上の利用可能性】
【００３９】
本願発明に係る冊子は、大学ノート、手帳、日記帳若しくは野帳等のノート、または、本、書籍、雑誌若しくは図書等の書物に好適に用いることができる。
【符号の説明】
【００４０】
１、１１、２１、３１、４１、５１、６１、７１、８１  表表紙
２、１２、２２、３２、４２、５２、６２、７２、８２  裏表紙
３、１３、２３、３３、４３、５３、６３、７３、８３  本文用紙
４、１４、２４、３４、４４、５４、６４、７４、８４  背表紙
５  小口
６  天
７  地
１５、２５、３５、４５、５５、６５、７５、８５  バンド
１６、２６、３６、４６、５６、６６、７６、８６  バンド取り付け部
１７  ブックカバー
２７、３７、８９  バンドずれ防止切込み  
５８、６８  抜落ち防止ポケット
５９、６９  抜落ち防止ポケット開口部
７７、８７  抜落ち防止バンド
７８、８８  抜落ち防止バンド取り付け部
１１１、２２１、４４１、５５１、６６１、７７１  別の冊子の表表紙
１１２、２２２、４４２、５５２、６６２、７７２  別の冊子の裏表紙
１１３、２２３、４４３、５５３、６６３、７７３  別の冊子の本文用紙
１１５、４４５、５５５、６６５、７７５  別の冊子のバンド
２２７  別の冊子のバンドずれ防止切込み
５５８、６６８  別の冊子の抜落ち防止ポケット
５５９、６６９  別の冊子の抜落ち防止ポケット開口部
７７７  別の冊子の抜落ち防止バンド
【図１】
2018052096.tif 000003
【図２】
2018052096.tif 000004
【図３】
2018052096.tif 000005
【図４】
2018052096.tif 000006
【図５】
2018052096.tif 000007
【図６】
2018052096.tif 000008
【図７】
2018052096.tif 000009
【図８】
2018052096.tif 000010
【図９】
2018052096.tif 000011
【図１０】
2018052096.tif 000012
【図１１】
2018052096.tif 000013
【図１２】
2018052096.tif 000014
【図１３】
2018052096.tif 000015
【図１４】
2018052096.tif 000016
【図１５】
2018052096.tif 000017
【図１６】
2018052096.tif 000018
【図１７】
2018052096.tif 000019
【図１８】
2018052096.tif 000020
【図１９】
2018052096.tif 000021
【図２０】
2018052096.tif 000022
【図２１】
2018052096.tif 000023
【図２２】
2018052096.tif 000024
【図２３】
2018052096.tif 000025
【図２４】
2018052096.tif 000026
【図２５】
2018052096.tif 000027
【図２６】
2018052096.tif 000028
【図２７】
2018052096.tif 000029
【図２８】
2018052096.tif 000030
【図２９】
2018052096.tif 000031
【図３０】
2018052096.tif 000032
【図３１】
2018052096.tif 000033
【図３２】
2018052096.tif 000034
【図３３】
2018052096.tif 000035
【図３４】
2018052096.tif 000036
【図３５】
2018052096.tif 000037
【図３６】
2018052096.tif 000038
【図３７】
2018052096.tif 000039